(57)【要約】【課題】  プラントを構成する各装置の設置場所を車両の荷台とさせることで、プラントごとの移動を可能にさせ、離島、僻地、山間地等、国内外の不自由な生活をしている地域において、飲料水及び電力を供給できる飲料水と電力の移動供給装置の提供。【解決手段】  取水した水を濾過浄化させるための浄水装置２と、浄化水を加熱させて蒸気を発生させるための蒸気発生装置３と、蒸気により蒸気タービン４０を作動させて発電させるための発電機４と、蒸気発生装置の加熱用燃料となる酸素／水素混成ガスを電気分解により生成させるための混成ガス発生装置５と、蒸気を冷却凝縮させて水を得るための冷却器６と、が車両１の荷台１０上に据え付けられて、車両の移動により移動可能に設けられている。【選択図】  図１
0003121135.tif 000002
【実用新案登録請求の範囲】
【請求項１】
取水した水を濾過浄化させるための浄水装置と、
この浄水装置で濾過浄化させた浄化水を加熱させて蒸気を発生させるための蒸気発生装置と、
この蒸気発生装置で発生した蒸気により蒸気タービンを作動させて発電させるための発電機と、
前記蒸気発生装置の加熱用燃料となる酸素／水素混成ガスを、原料水を電気分解させて生成させるための混成ガス発生装置と、
前記蒸気発生装置で発生した蒸気及び発電機を経た蒸気を冷却凝縮させて水を得るための冷却器と、を備え、
前記冷却器を経て得た水を飲料水として飲料水供給系に送水させると共に、前記混成ガス発生装置の原料水として給水させるように形成され、
前記発電機で得た電力を電力供給系に送電させると共に、前記混成ガス発生装置の駆動電力として送電させるように形成され、
前記浄水装置と、蒸気発生装置と、発電機と、混成ガス発生装置と、冷却器と、が車両の荷台上に据え付けられて、車両の移動により移動可能に設けられていることを特徴とする飲料水と電力の移動供給装置。
【請求項２】
請求項１記載の飲料水と電力の移動供給装置において、取水する水が海水の場合には、
浄化装置で濾過浄化させた浄化海水からマグネシウム及びミネラル分を分離回収させるためのミネラル分離装置と、
前記ミネラル分離装置を経た浄化海水を淡水化させるための淡水化装置を備え、
この淡水化装置を経た水を蒸気発生装置に給水させるように形成した飲料水と電力の移動供給装置。
【考案の詳細な説明】
【技術分野】
【０００１】
本考案は、主に、離島、僻地、山間地等、国内外の不自由な生活をしている地域において、飲料水及び電力を供給できるようにした飲料水と電力の移動供給装置に関する。
【背景技術】
【０００２】
従来、発電装置と、海水淡水化装置を組み合わせた発電・海水淡水化コンバインド装置が知られている（特許文献１参照）。
【０００３】
前記した発電・海水淡水化コンバインド装置は、燃料を燃焼させて蒸気を発生させる蒸気発生装置と、この蒸気発生装置で発生した蒸気によりタービンを作動させて発電させるための発電機と、前記タービンの蒸気を熱源として海水を淡水化する淡水化装置と、蒸気を凝縮させる復水器と、を備え、発電機からの電力を電力供給系に送電させ、淡水化装置からの水を飲料水供給系に送水させ、かつ淡水化装置からの凝縮水と復水器からの凝縮水とを蒸気発生装置に送水させるように形成されている。
【０００４】
前記の発電・海水淡水化コンバインド装置は、電力と、飲料水の両方を得ることができるが、これを移動させる構成にはなっておらず、プラントとしての据付に多大の手間がかかるという問題がある。
また、淡水化装置からの凝縮水と復水器からの凝縮水とを蒸気発生装置に送水させるように形成されているものの、蒸気発生装置加熱用燃料の全てを、可燃性ゴミを固形化燃料製造装置で加工して得た固形化燃料（ＲＤＦ）を使用しており、省資源化としての効果はあるが、廃棄物の処理や発生ガスによる大気汚染という問題を残していた。
【特許文献１】特許公開平１０−４７０１５号公報
【考案の開示】
【考案が解決しようとする課題】
【０００５】
本考案は、かかる従来の問題を解決するためになされたもので、プラントを構成する各装置の設置場所を車両の荷台とさせることで、プラントごとの移動を可能にさせ、離島、僻地、山間地等、国内外の不自由な生活をしている地域において、飲料水及び電力を供給できる飲料水と電力の移動供給装置を提供することを課題としている。
【課題を解決するための手段】
【０００６】
上記の課題を解決するために、本考案（請求項１）の飲料水と電力の移動供給装置は、
取水した水を濾過浄化させるための浄水装置と、
この浄水装置で濾過浄化させた浄化水を加熱させて蒸気を発生させるための蒸気発生装置と、
この蒸気発生装置で発生した蒸気により蒸気タービンを作動させて発電させるための発電機と、
前記蒸気発生装置の加熱用燃料となる酸素／水素混成ガスを、原料水を電気分解させて生成させるための混成ガス発生装置と、
前記蒸気発生装置で発生した蒸気及び発電機を経た蒸気を冷却凝縮させて水を得るための冷却器と、を備え、
前記冷却器を経て得た水を飲料水として飲料水供給系に送水させると共に、前記混成ガス発生装置の原料水として給水させるように形成され、
前記発電機で得た電力を電力供給系に送電させると共に、前記混成ガス発生装置の駆動電力として送電させるように形成され、
前記浄水装置と、蒸気発生装置と、発電機と、混成ガス発生装置と、冷却器と、が車両の荷台上に据え付けられて、車両の移動により移動可能に設けられている構成とした。
【０００７】
又、本考案（請求項２）の飲料水と電力の移動供給装置は、
請求項１記載の飲料水と電力の移動供給装置において、取水する水が海水の場合には、
浄化装置で濾過浄化させた浄化海水からマグネシウム及びミネラル分を分離回収させるためのミネラル分離装置と、
前記ミネラル分離装置を経た浄化海水を淡水化させるための淡水化装置を備え、
この淡水化装置を経た水を蒸気発生装置に給水させるように形成した。
【考案の効果】
【０００８】
本考案の飲料水と電力の移動供給装置は、プラントを構成する浄水装置と、発電機と、混成ガス発生装置と、冷却器と、が車両の荷台上に据え付けられている。
従って、各装置の設置場所が車両の荷台となり、プラントごとの移動が可能になるため、離島、僻地、山間地等、国内外の不自由な生活をしている地域において、飲料水及び電力を供給できる
【０００９】
又、飲料水の原水として海水又は河川水を利用することで現地での調達を容易にさせ、かつこの飲料水を作る過程で発生する蒸気を利用して発電を行なうことができる。
特に、海水を取水する場合には、ミネラル分離装置を備えるようにしているため、海水に含まれるマグネシウムやその他のミネラル分を分離させることができる。
【００１０】
また、蒸気を冷却させて得た水を原料水として電気分解させ、これで生成させた酸素／水素混成ガスを蒸気発生装置の加熱用燃料として利用しながら飲料水及び電力を供給できる。
【考案を実施するための最良の形態】
【００１１】
以下、本考案の実施の形態を図面に示す実施例により説明する。
図１は本考案の飲料水と電力の移動供給装置のシステム構成図、図２は移動処理装置の実施例を示す概略側面図である。
なお、この実施例では、海水を取水するようにした移動供給装置を例にとる。
【００１２】
移動供給装置は、車両としての２トントラック１（トレーラや貨物自動車等でもよい）の荷台１０上に、プラントを構成する浄水装置２と、ミネラル分離装置７と、淡水化装置８と、蒸気発生装置３と、発電機４と、混成ガス発生装置５と、冷却器（復水器）６と、が設置されている。
【００１３】
浄水装置２は、取水した海水を濾過浄化させるためのもので、この浄水装置２によって濾過浄化された浄化海水をミネラル分離装置７に導入させるようになっている。
【００１４】
前記ミネラル分離装置７は、前記浄水装置２を経て得た浄化海水を、図示省略した反応槽、シックナー洗浄槽、濾過器の順に通すことで、浄化海水からマグネシウム及びミネラル分を分離回収させるようになっている。
なお、分離回収したマグネシウムやその他のミネラル分は、これを二次処理装置に供給して、マグネシウムやミネラル分を生成させることになる。
【００１５】
前記淡水化装置８は、前記ミネラル分離装置７を経た浄化海水を淡水化させるためのもので、この淡水化装置８を経て得た水を蒸気発生装置３及び冷却器６に導入させるようになっている。
【００１６】
なお、淡水化装置８での淡水化処理によって生じた濃縮海水は、再濃縮装置８０に移送させ、塩として取り出すようになっている。
この再濃縮装置８０では、その熱源として、蒸気発生装置３において燃焼させた酸素／水素混成ガスの排熱を利用している。
【００１７】
前記蒸気発生装置３は、給水された水を加熱させて蒸気を発生させるためのもので、チャンバー３０の内部に蒸気管３１が配管され、この蒸気管３１に給水した水を加熱して蒸気を発生させるように形成されている。
前記チャンバー３０は、内部温度によって各部に影響が生じないように耐熱材料で形成され、その内部に後述する混成ガス発生装置５から酸素／水素混成ガスを導入させると共に水を給水させ、前記混成ガスをガスバーナ３２によって燃焼させると同時に水を噴霧機３３により噴霧させて水蒸気爆発室３４で爆発燃焼させ、その燃焼熱でチャンバー３０内の蒸気管３１を加熱させて水を加熱蒸発させ、その蒸気を蒸気タービン４０の作動で発電させるための発電機４に導入させるようになっている。
【００１８】
又、前記酸素／水素混成ガスの排熱をチャンバー３０の外周に巻き付けた管路（図示省略）に導入させることで、その排熱でチャンバー３０を補助的に加熱させるようになっている。
又、本考案において、蒸気発生装置３に、前記した酸素／水素混成ガスと並設して化石燃料（天然ガス、重油、軽油、灯油等）の燃焼部（図示省略）を形成することができるもので、酸素／水素混成ガスを燃焼させることに加え、化石燃料を燃焼させることによって浄化水を加熱させ、蒸気を発生させるようにすることができる。
【００１９】
前記発電機４は、蒸気発生装置３から導入した蒸気により蒸気タービン４０を作動させて発電させるためのもので、この発電機４によって発電された電力を、電力供給系を通して送電させると共に、前記した混成ガス発生装置５の駆動電力として送電させるように形成されている。
【００２０】
そして、前記蒸気発生装置３で発生した蒸気と、前記発電機４を経た蒸気を冷却器（復水器）６に導入させ、ここで冷却凝縮させることで得た水を、飲料水供給系を通して飲料水として給水させると共に、前記した混成ガス発生装置５の原料水として給水させるように形成されている。
【００２１】
前記冷却器６の冷却水として前記した淡水化装置８を経て得た水を利用している。
この場合、淡水化装置８を経た水を冷却器６に導入させ、ここで蒸気との間で熱交換させた後の水をコージュネイトシステム６０を経て給水系に戻すことで、蒸気発生装置３の温度負荷を軽減させるようになっている。
【００２２】
前記混成ガス発生装置５は、前記蒸気発生装置３の加熱用燃料となる酸素／水素混成ガスを、原料水を電気分解させて生成させるためのものである。
原料水としては前記冷却器６で蒸気を冷却凝縮させることで得た水（純水）を利用し、又、駆動電力として前記発電機４によって発電された電力を利用した自己完結型に形成されている。
なお、この混成ガス発生装置５は、バッテリー５０によって起動し、その後は、前記発電機４からの電力を駆動電力として稼動する。
この混成ガス発生装置５は、給水、給電、温度、湿度、ガス混合率が全て自動制御され、生成された混成ガスは、逆流防止装置、混合装置、防湿装置を経て燃焼部に送られる。
また、この混成ガス発生装置５は、電解セル及び電極棒の正極（酸素）、負極（水素）を一定時間で交互に変換させて電解能力を向上させるようになっている。
また、電解不純物は電解槽の底部から排出するようになっている。
【００２３】
上記したように、本考案の移動供給装置では、車両（トラック１）を移動させることによってプラントごとの移動が可能になり、離島、僻地、山間地等、国内外の不自由な生活をしている地域において、飲料水及び電力を供給できる。
【００２４】
なお、本実施例では、海水を取水させる例で説明したが、河川水や池水や湖水等の淡水を取水する場合は、これを浄水装置２により濾過浄化したのち蒸気発生装置３及び冷却器６に導入させるものである。
このように、淡水を取水する場合には、ミネラル分離装置７と、淡水化装置８を省いて構成することになる。
【図面の簡単な説明】
【００２５】
【図１】本考案の移動処理装置の実施例を示すシステム構成図である。
【図２】移動処理装置の実施例を示す概略側面図である。
【符号の説明】
【００２６】
１  トラック
１０  荷台
２  浄水装置
３  蒸気発生装置
３０  チャンバー
３１  蒸気管
３２  ガスバーナ
３３  噴霧機
３４  水蒸気爆発室
４  発電機
４０  蒸気タービン
５  混成ガス発生装置
５０  バッテリー
６  冷却器
６０  コージュネイトシステム
７  ミネラル分離装置
８  淡水化装置
８０  再濃縮装置
【図１】
0003121135.tif 000003
【図２】
0003121135.tif 000004